【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
表裏対向する２つの面を第１の面及び第２の面として有する筐体と、
前記第１の面に設けられ、当該第１の面上の所定の座標検出空間に対するユーザの操作の検出を行う検出部を含む第１の操作入力部と、
前記第２の面に設けられた第２の操作入力部と、
前記第２の面側から前記検出部の前記座標検出空間に対するユーザの操作が行われるときの前記筐体の姿勢を判定する判定部と、
前記姿勢が判定されたとき、前記検出部により検出された情報を、前記第２の面側から前記座標検出空間を透視した座標系の情報に変換する変換部と
を具備する操作装置。
【請求項２】
請求項１に記載の操作装置であって、
前記検出部は、前記座標検出空間に対してユーザにより指示された座標を検出し、
前記変換部は、前記検出部により検出された座標を（Ｘ，Ｙ）、前記第２の面側から前記座標検出空間を透視した座標系での検出座標を（Ｘ'，Ｙ'）、前記座標検出空間のＹ軸方向の長さをα、前記座標検出空間のＸ軸方向の長さをβとして、
Ｘ'＝α−Ｙ
Ｙ'＝β−Ｘ
の計算式により変換を行う
操作装置。
【請求項３】
請求項１または２に記載の操作装置であって、
前記第１の操作入力部は、前記検出部とともに１以上のキー操作部を有し、
前記姿勢が判定されたとき、前記キー操作部の操作の検出を停止状態にする制御部をさらに具備する
操作装置。
【請求項４】
請求項１ないし３のいずれか１項に記載の操作装置であって、
前記制御部は、前記検出部から情報が出力されているとき、前記姿勢の判定を停止状態にする
操作装置。
【請求項５】
請求項１ないし４のいずれか１項に記載の操作装置であって、
前記制御部は、前記第２の操作入力部が操作されているとき、前記姿勢の判定を停止状態にする
操作装置。
【請求項６】
請求項１ないし４のいずれか１項に記載の操作装置であって、
前記第１の面及び前記第２の面のいずれか一方の正面側を撮影可能な撮像部をさらに具備し、
前記判定部は、前記撮像部により撮像された画像をもとに前記姿勢を判定する
操作装置。
【請求項７】
請求項１に記載の操作装置であって、
前記検出部は、前記座標検出空間に対してユーザにより指示された座標を検出し、
前記変換部は、
前記検出部の座標系で得た検出座標を（Ｘ，Ｙ）、前記第２の面側から前記空間を透視した座標系での検出座標を（Ｘ'，Ｙ'）、前記検出部の検出空間のＹ軸方向の長さをαとして、
Ｘ'＝α−Ｘ
Ｙ'＝Ｙ
の計算式により変換を行う
操作装置。
【請求項８】
請求項１に記載の操作装置であって、
前記検出部は、前記座標検出空間に対するユーザの操作による移動情報を検出し、
前記変換部は、
前記検出部により検出された前記移動情報を（ｘ，ｙ）、前記第２の面側から前記座標検出空間を透視した座標系での移動情報を（ｘ'，ｙ'）として、
ｘ'＝−ｙ
ｙ'＝−ｘ
の計算式により変換を行う
操作装置。
【請求項９】
請求項１に記載の操作装置であって、
前記検出部は、前記座標検出空間に対するユーザの操作による移動情報を検出し、
前記変換部は、
前記検出部の座標系で得た移動情報を（ｘ，ｙ）、前記第２の面側から前記座標検出空間を透視した座標系での移動情報を（ｘ'，ｙ'）として、
ｘ'＝−ｘ
ｙ'＝ｙ
の計算式により変換を行う
操作装置。
【請求項１０】
所定の座標検出空間に対するユーザの操作の検出を行う検出部を含む第１の操作入力部が設けられた第１の面と、第２の操作入力部が設けられ、前記第１の面に表裏対向する第２の面を有する筐体の、前記第２の面側から前記検出部の前記座標検出空間に対するユーザの操作が行われるときの前記筐体の姿勢を判定し、
前記姿勢が判定されたとき、前記検出部により検出された情報を、前記第２の面側から前記座標検出空間を透視した座標系の情報に変換する
操作装置の情報処理方法。
【請求項１１】
表裏対向する２つの面を第１の面及び第２の面として有する筐体と、
前記第１の面に設けられ、当該第１の面上の所定の座標検出空間に対するユーザの操作の検出を行う検出部を含む第１の操作入力部と、
前記第２の面に設けられた第２の操作入力部と、
を具備する操作装置の、前記第２の面側から前記検出部の前記座標検出空間に対するユーザの操作が行われるときの前記筐体の姿勢を判定する判定部と、
前記姿勢が判定されたとき、前記検出部により検出された情報を、前記第２の面側から前記座標検出空間を透視した座標系の情報に変換する変換部と
を具備する情報処理装置。
【手続補正２】
【補正対象書類名】明細書
【補正対象項目名】０００７
【補正方法】変更
【補正の内容】
【０００７】
以上のような事情に鑑み、本技術の目的は、操作性の向上を図ることのできる操作装置、その操作装置の情報処理方法及び情報処理装置を提供することにある。
【手続補正３】
【補正対象書類名】明細書
【補正対象項目名】００１９
【補正方法】変更
【補正の内容】
【００１９】
【図１】本技術に係る第１の実施形態の情報処理システムの構成を示すブロック図である。
【図２】図１の情報処理装置のハードウェア構成を示す図である。
【図３】図１の操作装置のリモコン面側の外観図である。
【図４】図１の操作装置のキーボード面側の外観図である。
【図５】図１の操作装置のハードウェア構成を示すブロック図である。
【図６】図１の操作装置のタッチパッド操作姿勢を示す図である。
【図７】図１の操作装置のキーボード操作姿勢を示す図である。
【図８】図１の操作装置のキーボード面をユーザ側に向けたままその裏側面にあるタッチパッドを操作するときの状態を示す図である。
【図９】図１の操作装置のタッチパッドの座標系を説明するための図である。
【図１０】図１の操作装置においてキーボード面側からタッチパッドの座標検出空間を透視した座標系を説明するための図である。
【図１１】変形例１の操作装置の第２のタッチパッド操作姿勢を示す図である。
【図１２】変形例１の操作装置のタッチパッド操作姿勢を示す図である。
【図１３】変形例４の操作装置による姿勢検出の方法を説明するための図である。
【図１４】同じく変形例４の操作装置による姿勢検出の方法を説明するための図である。
【図１５】変形例５の操作装置を説明するための図である。
【手続補正４】
【補正対象書類名】明細書
【補正対象項目名】００４１
【補正方法】変更
【補正の内容】
【００４１】
図５は、操作装置３００のハードウェア構成を示すブロック図である。
操作装置３００は、制御部３０１、無線通信部３０２、タッチパッド３４、加速度センサ３０４、リモコン面キーマトリクス３０５、側面キーマトリクス３０６、キーボード面キーマトリクス３０７を有する。
【手続補正５】
【補正対象書類名】明細書
【補正対象項目名】００４６
【補正方法】変更
【補正の内容】
【００４６】
リモコン面キーマトリクス３０５は、リモコン面３１に設けられたカーソルキー３５などのキーに対する操作を検出して制御部３０１に通知する。
側面キーマトリクス３０６は、筐体３３の側面３６に設けられたキー３７に対する操作を検出して制御部３０１に通知する。
キーボード面キーマトリクス３０７は、キーボード３８に対する操作を検出して制御部３０１に通知する。
【手続補正６】
【補正対象書類名】図面
【補正対象項目名】図２
【補正方法】変更
【補正の内容】
【図２】
2013050907.tif 000001